【手続補正書】
【提出日】令和2年10月23日(2020.10.23)
【手続補正１】
【補正対象書類名】特許請求の範囲
【補正対象項目名】全文
【補正方法】変更
【補正の内容】
【特許請求の範囲】
【請求項１】
プロセッサと記憶媒体とを含むコンピューティングデバイス上で実施される方法であって、
第１の種類のスキャンである被験体の第１のスキャンに関連する、前記被験体の第１の画像データを取得することと、
前記第１の画像データに基づいて前記被験体の第１の画像を再構成することと、
前記第１の画像に基づいて、第２の種類のスキャンである第２のスキャンの線量計画を生成することと、
前記線量計画に従って実行される前記被験体の前記第２のスキャンに関連する、前記被験体の第２の画像データを取得することと、
を備える方法。
【請求項２】
前記第１の種類のスキャンは、陽電子放出断層撮影スキャン、単一光子放出型コンピュータ断層撮影スキャン、又は磁気共鳴スキャンのうちの少なくとも１つであり、前記第２の種類のスキャンは、コンピュータ断層撮影スキャンである、請求項１に記載の方法。
【請求項３】
前記第１の画像に基づいて前記第２のスキャンの前記線量計画を決定することは、
前記第１の画像内の少なくとも１つの病変を決定することと、
前記少なくとも１つの病変に基づいて、前記第１の画像内の、前記少なくとも１つの病変を囲む少なくとも１つの関心領域（ＲＯＩ）を決定することと、
前記少なくとも１つのＲＯＩに基づいて、前記ＲＯＩに対応する第１の線量と前記ＲＯＩの外側の領域に対応する第２の線量とを含む前記第２のスキャンの前記線量計画を決定することと、
を備え、前記第１の線量は前記第２の線量より高い、請求項１または２に記載の方法。
【請求項４】
前記少なくとも１つの病変に基づいて前記第１の画像内の前記少なくとも１つのＲＯＩを決定することは、
前記少なくとも１つの病変に基づいて、前記第１の画像内の、前記少なくとも１つの病変を囲む少なくとも１つの候補ＲＯＩを決定することと、
軸方向に沿って前記少なくとも１つの候補ＲＯＩの座標範囲を決定することと、
前記軸方向に沿った前記少なくとも１つの候補ＲＯＩの前記座標範囲に基づいて、前記第１の画像内の前記少なくとも１つのＲＯＩを決定することと、
を備える請求項３に記載の方法。
【請求項５】
前記第２の画像データに基づいて前記被験体の第２の画像を再構成することと、
前記第２の画像に基づいて前記第１の画像を補正して補正された第１の画像を生成することと、
をさらに備える請求項１から４のいずれか一項に記載の方法。
【請求項６】
前記第２の画像に基づいて前記第１の画像を補正することは、
前記第２の画像に基づいて前記第１の画像に対して減弱補正を実行すること、を備える請求項５に記載の方法。
【請求項７】
前記第２の画像データに基づいて前記被験体の第２の画像を再構成することと、
前記第２の画像に基づいて前記第１の画像を補正することと、
前記補正された第１の画像と前記第２の画像とを融合することによって、前記補正された第１の画像及び前記第２の画像に基づいて第４の画像を生成することと、
をさらに備える請求項１から４のいずれか一項に記載の方法。
【請求項８】
前記第１のスキャンは、第１のスキャン持続時間を有し、前記方法はさらに、
前記第１の種類のスキャンであり、かつ前記第１のスキャン持続時間よりも長い第２のスキャン持続時間を有する前記被験体の第３のスキャンに関連する、前記被験体の第３の画像データを取得することと、
前記第３の画像データに基づいて第３の画像を再構成することと、
前記第３の画像及び前記第２の画像データに基づいて第４の画像を生成することと、
を備える請求項１から７のいずれか一項に記載の方法。
【請求項９】
命令セットを記憶する少なくとも１つの記憶装置と、
前記少なくとも１つの記憶装置と通信する少なくとも１つのプロセッサと、を備えるシステムであって、前記少なくとも１つのプロセッサは、前記命令セットを実行するとき、前記システムに、
第１の種類のスキャンである被験体の第１のスキャンに関連する、前記被験体の第１の画像データを取得することと、
前記第１の画像データに基づいて前記被験体の第１の画像を再構成することと、
前記第１の画像に基づいて、第２の種類のスキャンである第２のスキャンの線量計画を生成することと、
前記線量計画に従って実行される前記被験体の前記第２のスキャンに関連する、前記被験体の第２の画像データを取得することと、
を行わせるように構成される、システム。
【請求項１０】
前記第１の画像に基づいて前記第２のスキャンの前記線量計画を決定するために、前記少なくとも１つのプロセッサは、前記システムに、
前記第１の画像内の少なくとも１つの病変を決定することと、
前記少なくとも１つの病変に基づいて、前記第１の画像内の、前記少なくとも１つの病変を囲む少なくとも１つの関心領域（ＲＯＩ）を決定することと、
前記少なくとも１つのＲＯＩに基づいて、前記ＲＯＩに対応する第１の線量と前記ＲＯＩの外側の領域に対応する第２の線量とを含む前記第２のスキャンの前記線量計画を決定することと、
を行わせるように構成され、前記第１の線量は前記第２の線量より高い、請求項９に記載のシステム。
【請求項１１】
前記少なくとも１つの病変に基づいて前記第１の画像内の前記少なくとも１つのＲＯＩを決定するために、前記少なくとも１つのプロセッサは、前記システムに、
前記少なくとも１つの病変に基づいて、前記第１の画像内の、前記少なくとも１つの病変を囲む少なくとも１つの候補ＲＯＩを決定することと、
軸方向に沿って前記少なくとも１つの候補ＲＯＩの座標範囲を決定することと、
前記軸方向に沿った前記少なくとも１つの候補ＲＯＩの前記座標範囲に基づいて、前記第１の画像内の前記少なくとも１つのＲＯＩを決定することと、
ことと、を行わせるように構成される、請求項１０に記載のシステム。
【請求項１２】
前記少なくとも１つのプロセッサはさらに、前記システムに、
前記第２の画像データに基づいて前記被験体の第２の画像を再構成することと、
前記第２の画像に基づいて前記第１の画像を補正して補正された第１の画像を生成することと、を行わせるように構成される、請求項９から１１のいずれか一項に記載のシステム。
【請求項１３】
前記少なくとも１つのプロセッサはさらに、前記システムに、
前記第２の画像データに基づいて前記被験体の第２の画像を再構成することと、
前記第２の画像に基づいて前記第１の画像を補正することと、
前記補正された第１の画像と前記第２の画像とを融合することによって、前記補正された第１の画像及び前記第２の画像に基づいて第４の画像を生成することと、
を行わせるように構成される、請求項９から１１のいずれか一項に記載のシステム。
【請求項１４】
前記第１のスキャンは第１のスキャン持続時間を有し、前記少なくとも１つのプロセッサはさらに、前記システムに、
前記第１の種類のスキャンであり、かつ前記第１のスキャン持続時間よりも長い第２のスキャン持続時間を有する前記被験体の第３のスキャンに関連する、前記被験体の第３の画像データを取得することと、
前記第３の画像データに基づいて第３の画像を再構成することと、
前記第３の画像及び前記第２の画像データに基づいて第４の画像を生成することと、
を行わせるように構成される、請求項９から１３のいずれか一項に記載のシステム。
【請求項１５】
実行可能命令を備える非一時的なコンピュータ可読記憶媒体であって、前記実行可能命令は、前記少なくとも１つのプロセッサによって実行される場合、前記少なくとも１つのプロセッサに、
第１の種類のスキャンである被験体の第１のスキャンに関連する、前記被験体の第１の画像データを取得することと、
前記第１の画像データに基づいて前記被験体の第１の画像を再構成することと、
前記第１の画像に基づいて、第２の種類のスキャンである第２のスキャンの線量計画を生成することと、
前記線量計画に従って実行される前記被験体の前記第２のスキャンに関連する、前記被験体の第２の画像データを取得することと、
を備える方法を行わせるように構成されている、非一時的なコンピュータ可読記憶媒体。